(57)【要約】【課題】日常生活時においては携帯品を収容した収容部が邪魔にならず、携帯品が必要になった際には容易に収容部から取り出し可能な収容具を提供すること。【解決手段】携帯品１００を収容する収容部２０と、収容部２０に取り付けられた吊り下げ部材５０と、を具備し、吊り下げ部材５０を首に提げて用いる収容具１０であって、収容部２０の両側面には、収容部２０の上下方向に延伸する配置にガイド体３０がそれぞれ取り付けられていて、ガイド体３０の延伸方向に沿って往復動可能な係止部材４０が配設されていて、吊り下げ部材５０の両端部が係止部材４０のそれぞれに係止されていることを特徴とする。【選択図】図５
2010279505.tif 000002
【特許請求の範囲】
【請求項１】
携帯品を収容する収容部と、該収容部に取り付けられた吊り下げ部材と、を具備し、前記吊り下げ部材を首に提げて用いる携帯品収容具であって、
前記収容部の両側面には、前記収容部の上下方向に延伸する配置にガイド体がそれぞれ取り付けられていて、
前記ガイド体の延伸方向に沿って往復動可能な係止部材が配設されていて、
前記吊り下げ部材の両端部が前記係止部材のそれぞれに係止されていることを特徴とする携帯品収容具。
【請求項２】
前記係止部材が前記ガイド体内で回転自在であることを特徴とする請求項１記載の携帯品収容具。
【請求項３】
前記ガイド体がカーテンレールであって、前記係止部材が前記カーテンレールに装着されたランナーであることを特徴とする請求項１記載の携帯品収容具
【請求項４】
前記吊り下げ部材には、首からの吊り下げ長さを調節する吊り下げ長さ調節部が配設されていることを特徴とする請求項１〜３のうちのいずれか一項に記載の携帯品収容具。
【発明の詳細な説明】
【技術分野】
【０００１】
本発明は携帯品収容具に関する。
【背景技術】
【０００２】
普段は持ち歩きが億劫であるものの、必要時に無いと困るものとして、老眼鏡や携帯電話が挙げられる。いわゆる老眼である人は、細かい文字を読むときのみに老眼鏡を装着することが多く、常時老眼鏡を装着していないことが多い。このため、出掛け先で老眼鏡が必要になったときにようやく老眼鏡を所持していないことに気がつくことがあり、細かい文字の確認を行う際に困ってしまうことが多い。このような状況に陥らないように小物の携帯品をバッグ等に収容しておくことも考えられるが、例えば老眼鏡を装着する必要があるたびにバッグから取り出すことは煩雑である。また、バッグに老眼鏡を収容する場合には眼鏡ケースに入れることが多いため、老眼鏡の取り出しはさらに煩雑になってしまう。
一方、携帯電話においては、携帯電話をストラップに繋げた状態で首から吊り下げることがあるが、普段の行動時においては邪魔になることの方が多い。バッグの中に携帯電話を入れてしまうと、電話機の呼び出し音が聞こえなくなってしまうという不都合もある。
【先行技術文献】
【特許文献】
【０００３】
【特許文献１】実開昭６０−７９３２５号公報
【発明の概要】
【発明が解決しようとする課題】
【０００４】
特許文献１には、布体を縫製することで筒体を形成し、筒体を吊り下げる紐を装着した携帯型眼鏡ケースの構成が開示されている。特許文献１に開示されているような携帯型眼鏡ケースを常時身に付けていれば、上述のような小物の携帯品の持ち運びや取り出しにおける不具合の発生頻度を大幅に減少させることができる。
ところで、首に吊り下げて用いる携帯品収容具に収容されている携帯品の使用頻度が低い場合には、前述のように吊り下げ状態にある収容具の存在が邪魔になってしまうことが多い。そこで収容具に取り付けられている紐の吊り下げ長さを短くして、収容部のぶらつきを抑えた状態で使用すると収容部分に収容されている携帯品の取り出しが困難になってしまうという課題が明らかになった。
【０００５】
そこで本願発明は、日常生活時においては携帯品を収容した収容部が邪魔にならず、携帯品が必要になった際には容易に収容部から取り出し可能な携帯品収容具を提供することを課題としている。
【課題を解決するための手段】
【０００６】
以上の目的を達成するため本願発明は以下の構成を有する。
すなわち、携帯品を収容する収容部と、該収容部に取り付けられた吊り下げ部材と、を具備し、前記吊り下げ部材を首に提げて用いる携帯品収容具であって、前記収容部の両側面には、前記収容部の上下方向に延伸する配置にガイド体がそれぞれ取り付けられていて、前記ガイド体の延伸方向に沿って往復動可能な係止部材が配設されていて、前記吊り下げ部材の両端部が前記係止部材のそれぞれに係止されていることを特徴とする携帯品収容具である。
【０００７】
また、前記係止部材が前記ガイド体内で回転自在であることを特徴とする。
また、前記ガイド体がカーテンレールであって、前記係止部材が前記カーテンレールに装着されたランナーであることを特徴とする。
これらにより携帯品収容具の構成が簡略化されるので低コストで携帯品収容具を提供することができる。
【０００８】
また、前記吊り下げ部材には、首からの吊り下げ長さを調節する吊り下げ長さ調節部が配設されていることを特徴とする。これにより、使用者の体格に応じて吊り下げ部材の吊り下げ長さを調整することができる。
【発明の効果】
【０００９】
本発明にかかる携帯品収容具によれば、携帯品を使用する必要の無い状況においては、首から吊り下げられた収容部の存在が邪魔にならず、携帯品の使用が必要になった際には、素早くかつ容易に携帯品を収容部から取り出すことが可能になる。
【図面の簡単な説明】
【００１０】
【図１】本実施形態における携帯品収容具の斜視図である。
【図２】図１中のＡ−Ａ線における断面図である。
【図３】係合部材の斜視図である。
【図４】本実施形態にかかる携帯品収容具の使用時における動作状態を示す斜視図である。
【図５】本実施形態にかかる携帯品収容具の使用時における動作状態を示す斜視図である。
【図６】本実施形態にかかる携帯品収容具の使用時における動作状態を示す斜視図である。
【発明を実施するための形態】
【００１１】
以下、本発明にかかる携帯品収容具の実施形態について図面に基づいて説明する。図１は、本実施形態における携帯品収容具の斜視図である。図２は、図１中のＡ−Ａ線における断面図である。図３は、係止部材の斜視図である。
本実施形態における携帯品収容具１０は、携帯品１００を収容する収容部２０と、収容部２０の外表面に取り付けられたガイド体３０と、ガイド体３０の延伸方向に沿って往復動し、往復動面に交差する軸周りに回転可能な係止部材４０と、両端部が係止部材４０に係止され、収容部２０を使用者の首に吊り下げるための吊り下げ部材５０を有している。
【００１２】
収容部２０は、緩衝性を有するスポンジ状のシート体を縫製し、上部に開口部２２を有し、下部に底部２４を有する袋体に形成されている。収容部２０の側面部分には収容部２０の上下方向に延伸するガイド体３０が取り付けられている。ガイド体３０は、縫製や接着等により収容部２０の両側面に取り付けられている。ガイド体３０の両端部にはガイド体３０の延伸方向における係止部材４０の抜け止部としてストッパ３２が設けられている。
図２に示すように、ガイド体３０は、ガイド体３０の延伸方向に直交する切断面において、略Ｃ字状をなす断面形状をなしている。ガイド体３０には、ガイド体３０に沿って往復動し、ガイド体３０の延伸方向に直交する軸線周りに回転可能な係止部材４０が配設されている。
【００１３】
係止部材４０は、図３に示すように、ガイド体３０からの抜止部となるベース部４２とベース部４２に立設された係止片４４とを有している。ベース部４２は円板状に形成され、ガイド体３０のＣ字状断面における内部空間に収容可能であり、ガイド体３０のＣ字状断面の開口部分３４における離間寸法よりも幅広寸法に形成されている。また、ベース部４２は円板状に形成されているので、ベース部４２（係止部材４０）は、ガイド体３０の平面内で円滑に回転することができる。
ベース部４２に立設されている係止片４４は、ガイド体３０のＣ字状断面の開口部分３４における離間寸法よりも幅狭な径寸法に形成されていて、開口部分３４からガイド体３０の外方に向けて突出している。係止片４４には吊り下げ部材５０が係止可能な係止孔４６が設けられている。
このような構成を有するガイド体３０および係止部材４０としては、カーテンレール（ガイド体３０）とカーテンレールに装着されているランナー（係止部材４０）が好適に用いられる。
【００１４】
吊り下げ部材５０には、使用者が携帯品収容具１０を装着した際において、収容部２０の吊り下げ高さ位置の調節ができるように、吊り下げ長さ調節部５２が配設されている。吊り下げ長さ調節部５２は、吊り下げ部材５０を任意の位置で係止することが可能な構成を有する公知の長さ調節部５２を採用することができる。携帯品収容具１０は使用者（所有者）の専用品であることが多い。このため、予め適切な長さに調整した吊り下げ部材５０の採用や、使用者の首から収容部２０までの間において吊り下げ部材５０により形成されるループ部が小さくなるように吊り下げ部材５０の一部を結んで収容部２０の吊り下げ高さ位置を調整することもできる。このようにして用いる場合には、携帯品収容具１０における長さ調節部５２の構成を省略することができる。また、係止部材４０の係止孔４６に挿通させた吊り下げ部材５０の両端部には、係止孔４６からの抜け止加工がなされているのはもちろんである。
【００１５】
次に携帯品収容具１０の使用方法について説明する。図４〜図６は、本実施形態にかかる携帯品収容具の使用時における動作状態を示す斜視図である。各図とも使用者の表示を省略している。
使用者が老眼鏡などの携帯品１００を収容部２０に収容する場合には、携帯品収容具１０の装着前または装着後に収容部２０の上部の開口部２２から収容部２０に収容する。使用者は吊り下げ部材５０を首に吊り下げて携帯品収容具１０を装着した後、必要に応じて長さ調節部５２を操作して吊り下げ部材５０の長さを調節する。収容部２０の吊り下げ高さ位置は、使用者の胸の高さ位置が好都合である。
【００１６】
使用者が携帯品１００を使用する場合には、まず、収容部２０を上方に持ち上げる。このとき、係止部材４０は持ち上げられた収容部２０とは相対的に、ガイド体３０に沿ってガイド体３０の下端位置までスライドした状態になる。図４に示すように、ガイド体３０の下端部位置に係止部材４０がスライドした後、使用者は、図５中の矢印に示すように、係止部材４０の係止片４４の突出方向における軸線周りに収容部２０を回転させる。収容部２０を１８０度回転させると、図６に示すように、収容部２０の上下が反転することになる。これにより開口部２２が下向きに開口し、収容部２０に収納されていた携帯品１００を取り出すことができる。
【００１７】
このように、収容部２０の上下位置を反転させる際に、収容部１０を持ち上げた後に、収容部２０の底部端縁が回転軸となるようにして、収容部２０の開口部２２を使用者から離反させる向きに回転させているので、収容部２０を首から吊り下げた状態で収容部２０を回転させても収容部２０が使用者に触れることがなく、収容部２０の上下位置をきわめてスムーズに反転させることができる。
以上に示したように、携帯品１００が必要になったときには、非常に簡単な操作により携帯品収容具１０から携帯品１００を取り出すことができるので、老眼鏡等のように通常時には不要であるが使用時に直ちに取り出ししたい携帯品１００の収容に好都合である。
【００１８】
以上に本願発明を実施形態に基づいて詳細に説明したが、本願発明の技術的範囲は以上に示した実施形態に限定されるものではない。例えば、以上に説明した実施形態においては、携帯品として老眼鏡を例示しているが、携帯品は老眼鏡に限定されるものではなく、常用薬や、携帯電話、手帳、財布等であってもよいのはもちろんである。
また、収容部２０の開口部２２は常時開口状態に形成されている形態について説明しているが、開口部２２に巾着部や、がま口部等の構成を適用して開閉可能な開口部２２にすることもできる。
【００１９】
さらには、ガイド体３０およびガイド体３０内を往復動すると共に回転可能な係止部材４０として、カーテンレールとカーテンレールに装着されたランナーを例示しているが、ガイド体３０および係止部材４０はカーテンレールおよびランナーに限定されるものではない。吊り下げ部材５０の両端が係止可能であって、収容部２０を上下にスライド移動させることができ、しかも係止部材４０が収容部２０およびガイド体３０から抜けてしまうことがない構成を有していればよく、ガイド体３０および係止部材４０は本発明品の専用品を採用することももちろん可能である。
このような形態の係止部材４０であっても、開口部２２を反転させる際に、ねじれた状態にすることが可能な吊り下げ部材５０（例えば、紐状体）であれば、本実施形態で説明した動作を実現することは十分可能である。
【符号の説明】
【００２０】
１０  携帯品収容具
２０  収容部
２２  開口部
２４  底部
３０  ガイド体
３２  ストッパ
３４  開口部分
４０  係止部材
４２  ベース部
４４  係止片
４６  係止孔
５０  吊り下げ部材
５２  長さ調節部
１００  携帯品
【図１】
2010279505.tif 000003
【図２】
2010279505.tif 000004
【図３】
2010279505.tif 000005
【図４】
2010279505.tif 000006
【図５】
2010279505.tif 000007
【図６】
2010279505.tif 000008